(57)【要約】本発明は、表面に複数の支持要素（１０５、４０２）を有する物体（４００）、特に、庭園用の家具またはテーブルまたはレストランのテラスなどの頻繁に動かされる物体を安定させる安定化装置（１００）に関する。安定化装置（１００）は、複数の流体収容コンパートメント（１０２）の各々が、それに含まれている流体の量に応答して高さが可変であり、支持要素（１０５、４０２）と表面との間に位置を定められように、制限されたフロー機構によって互いに流体連絡する複数の流体収容コンパートメント（１０２）を備えている。安定化装置（１００）は、複数の相互接続された小口径のホース（１０６）を備えている制限されたフロー機構を用いることによって、流体の流れを制御する弁を用いる必要性を除去する。
2010524611.tif 000002
【特許請求の範囲】
【請求項１】
表面に複数の支持要素（１０５、４０２）を有する物体（４００）を安定させる安定化装置（１００）であって、該安定化装置（１００）は、複数の流体収容コンパートメント（１０２）を備え、各流体収容コンパートメント（１０２）は、
制限されたフロー機構によってもう一方の流体収容コンパートメントと流体連絡し、
該流体収容コンパートメント（１０２）内に含まれる流体の量に応答して高さが可変であり、
該物体の重量が該流体収容コンパートメント（１０２）を介して該表面に作用するように、該物体の支持要素（１０５、４０２）と係合し、
該制限されたフロー機構が複数の相互接続された小口径のホース（１０６）を備えていることを特徴とする、安定化装置。
【請求項２】
前記小口径のホース（１０６）は、約２ｍｍの内径を有する、請求項１に記載の安定化装置（１００）。
【請求項３】
前記小口径のホース（１０６）は、中央充填装置（１１０）によって相互接続される、請求項１または２に記載の安定化装置（１００）。
【請求項４】
各流体収容コンパートメント（１０２）は、ハウジング（１０４）内に保持される、請求項１〜３のいずれかに記載の安定化装置（１００）。
【請求項５】
前記ハウジング（１０４）は、支持要素係合部（１１２）と、該支持要素係合部（１１２）にスライド可能に取り付けられた表面係合部（１１４）とを備えている、請求項４に記載の安定化装置（１００）。
【請求項６】
前記ハウジング（１０４）の前記表面係合部（１１４）は、前記流体収容コンパートメント（１０２）に当接するボス（１１６）を備えている、請求項５に記載の安定化装置（１００）。
【請求項７】
前記流体収容コンパートメント（１０２）は、柔軟性のある袋を備えている、請求項１〜６のいずれかに記載の安定化装置（１００）。
【請求項８】
前記袋は、実質的に半球の形状である、請求項７に記載の安定化装置（１００）。
【請求項９】
複数の支持要素（１０５、４０２）を有する物体（４００）であって、該物体（４００）は、請求項１〜８のいずれかに記載の前記安定化装置（１００）にはめられる、物体。
【発明の詳細な説明】
【技術分野】
【０００１】
（導入部）
本発明は、表面に複数の支持要素を有する物体を安定させる安定化装置に関し、安定化装置は、複数の流体収容コンパートメントを備え、各流体収容コンパートメントは、制限されたフロー機構によって他の流体収容コンパートメントと流体連絡し、流体収容コンパートメント内に含まれる流体の量に応答して高さが可変であり、物体の重量が流体収容コンパートメントを介して表面に作用するように、物体の支持要素と係合する。そのような装置は、テーブル、椅子などの物体を安定させるかまたは水平にする際の使用に関して周知である。
【背景技術】
【０００２】
ほとんどの人は、長さが等しくないテーブルまたは椅子の脚、あるいは平らでない支持表面に位置を定められたテーブルまたは椅子の脚のいずれかによって引き起こされる、不安定テーブルまたは椅子、あるいは揺れるテーブルまたは椅子の問題に見聞き覚えがある。そのような場合において、１点の家具の必ずしもすべての脚が地面に一時に固定されるわけでなく、その結果、ユーザがもたれるかまたはテーブルに何かを置くことなどで１点の家具に力が加えられた場合、揺れる動きをもたらす。この揺れる動きは、テーブルを使用する人または椅子に座る人にとって不都合であり、不快である。例えば、この種の不安定なテーブルは、テーブルトップ上の物体がテーブルの動きによって乱され得、何かをこぼすこと（ｓｐｉｌｌａｇｅ）または破損という結果にさえなる可能性があるので、不便である。さらにテーブルのユーザがテーブルにもたれるとき、揺れる表面に対処しなければならないことは、ユーザにとって不快なことである。
【０００３】
この問題に対して利用可能な多くの解決策があり、最も基本的な解決策は、揺れを減少させるか除去するように１点の家具の脚の１つ以上の下に置かれた一片の紙またはカードなどのくさびを使用することである。この方法は、非常に有用であり得るが、不便であり見苦しいことでもあることは理解される。さらなる利用可能な解決策は、各脚の長さが必要に応じて調整されることを可能にする調整可能なねじ切りされた足部を、問題となる１点の家具の脚にはめることである。これもまた不便な解決策である。
【０００４】
最後に、各脚の足部にはめられ、流体がベロー間に流れ得るようにパイプによって相互接続されるベローまたは同様な装置を使用することを伴う多数の解決策があり、この場合、流体フローは弁によって制御される。そのような装置の１つは、欧州特許出願第０１８６７１４号に開示される。この書類は、多くの導管によって中央弁に相互接続される多くのベローを備えている装置を説明する。弁は、正確な量の流体が各ベローに存在し、物体を安定させ、弁がロックされ得ることを確実にするように調整されなければならない。
【０００５】
上記の解決策のすべての不利な点は、それらの解決策が安定させられた物体を得るためにユーザが介入することを必要とすることである。このことは、適切な位置に置かれ、安定させられ、ついで長期間その配置のままにされる、キッチンテーブルまたは洗濯機などの物体に用いられる場合、ひどく不利なことではない。しかしながら安定させられるべき物体が頻繁に動かされそうな、例えば、庭園用の家具またはレストランのテラス用の家具などの物体である場合、物体を動かすたびに安定化システムを調整しなければならないことは不便であり、望ましくない。
【発明の概要】
【発明が解決しようとする課題】
【０００６】
従って、物体の簡単かつ便利な安定化を提供する安定化装置を提供することが本発明の目的である。
【課題を解決するための手段】
【０００７】
（発明の記載）
本発明に従って、表面に複数の支持要素を有する物体を安定させる安定化装置が提供され、安定化装置は、複数の流体収容コンパートメントを備え、各流体収容コンパートメントは、
制限されたフロー機構によってもう一方の流体収容コンパートメントと流体連絡し、
流体収容コンパートメント内に含まれる流体の量に応答して高さが可変であり、
物体の重量が流体収容コンパートメントを介して表面に作用するように、物体の支持要素と係合し、
制限されたフロー機構が複数の相互接続された小口径のホースを備えていることを特徴とする。
【０００８】
このようにして、流体収容コンパートメントに作用する物体の重量は、物体が安定させられ、すべての支持要素が表面に接触するまで、小口径のホースを介して一部のコンパートメントから他のコンパートメントに流体が流れるようにさせる。小口径のホースの使用は、相互接続されたホースのネットワークのみが必要であり、コンパートメント間の流体の流量を制限するために必要とされる弁などのさらなる装置を必要としないので、制限されたフロー機構を提供する特に簡単で効果的な方法である。一旦物体が表面に置かれると安定化が自動的に起り、安定化プロセスの開始または終了時にユーザが弁を開いたりまたは閉じたりする必要が全くない。さらに小口径のホースは流体フローが遅いことを確実にし、その結果、安定化が滑らかに行われる。さらに、小口径のホースは、テーブルにもたれている人が立ち上がったときなどの一時的な影響に安定化装置がすぐには反応しないことを確実にするほど十分に流体のフローを制限する。
【０００９】
本発明のさらなる実施形態において、小口径のホースが約２ｍｍの内径を有する安定化装置が提供される。これは小口径のホースの特に効果的な寸法であり、安定化装置の効率的な動作を可能にする。
【００１０】
本発明の別の実施形態において、小口径のホースが中央充填装置によって相互接続される安定化装置が提供される。これは、流体収容コンパートメントを連結し、さらに、安定化装置の流体収容コンパートメントが動作前に流体を注入されることを可能にする特に効率的な方法として理解される。
【００１１】
本発明の一実施形態において、各流体収容コンパートメントがハウジング内に保持される安定化装置が提供される。これは、ハウジングが流体収容コンパートメントのための頑丈な囲いを提供するので、本発明をインプリメントする特に効率的な方法である。
【００１２】
本発明のさらなる実施形態において、ハウジングが、支持要素係合部と、支持要素係合部にスライド可能に取り付けられた表面係合部とを備えている安定化装置が提供される。これは、流体収容コンパートメントの高さの変化が必要に応じハウジングを調整することを可能にすることによって、ハウジングが本発明を効率的に収容することを可能にする。
【００１３】
本発明の別の実施形態において、ハウジングの表面係合部が流体収容コンパートメントに当接するボスを備えている安定化装置が提供される。これは、ハウジングおよび流体収容コンパートメントの可変の高さをインプリメントする特に効率的な方法である。
【００１４】
本発明の一実施形態において、流体収容コンパートメントが柔軟性のある袋を備えている安定化装置が提供される。これは、流体収容コンパートメントを提供する特に効果的な方法である。
【００１５】
本発明のさらなる実施形態において、袋が実質的に半球の形状である安定化装置が提供される。これは、特に有利な袋の配置である。
【００１６】
本発明に従って、複数の支持要素を有する物体がさらに提供され、この場合、物体は本発明に従う安定化装置を備えている。そのような物体は、平らでない表面上の揺れの影響を受けない。
【００１７】
（発明の詳細な説明）
本発明はここで、添付の図面を参照することによって、例としてのみ与えられる本発明の実施形態の以下の説明からより明確に理解される。
【図面の簡単な説明】
【００１８】
【図１】図１は、物体の支持要素と係合していることが示される本発明の安定化装置の断面図である。
【図２】図２は、本発明の流体収納コンパートメントおよび小口径のホースの線図である。
【図３】図３は、本発明の物体係合部分の支持要素の斜視図である。
【図４】図４は、本発明の物体係合部分の支持要素の断面図である。
【図５】図５は、テーブルの適切な位置にある本発明を示す（２つの支持要素のみが示される）。
【発明を実施するための形態】
【００１９】
図面、そして最初に図面の図１を参照すると、参照番号１００によって概して指示される安定化装置が示され、安定化装置は、４つの流体収容コンパートメント１０２を備え、その各々は参照番号１０４によって概して指示されるハウジング内に含まれ、ハウジングは、物体（図示されていない）の脚などの支持要素１０５に取り付けられる。小口径のホース１０６は、小口径のホース１０６が流体収容コンパートメント１０２内に含まれる流体の唯一の出現点であるように、各流体収容コンパートメント１０２に接続される。４つの小口径のホース１０６の自由端部は、接続フィッティング１０８にはめられ、中央充填装置１１０において一緒に接続され、その結果、４つの流体収納コンパートメント１０２、小口径ホース１０６、および中央充填装置１１０は、閉鎖系を形成する。
【００２０】
ここで図２を参照すると、図２において、同様な部品は上記と同じ参照番号が与えられ、流体収容コンパートメント１０２と、小口径ホース１０６と、中央充填装置１０８との閉鎖系が示される。各流体収容コンパートメント１０２は、天然ゴムまたは合成ゴムなどの柔軟性ある材料から形成される袋を備えている。袋は、実質的に半球の形状であり、袋の平らな面は実質的に水平に置かれていて、袋の湾曲した面は、平らな面から下方に突き出ている。
【００２１】
ここで図３および図４を参照すると、ハウジング１０４は、支持要素係合部１１２と、表面係合部１１４とを備えている。ハウジング１０４の表面係合部１１４は、その基部において閉じている実質的に円筒形の本体を備えている。球台形状を有するボス１１６は、この表面係合部１１４の閉じている端部の内部に形成され、該端部の中央に位置を定められる。表面係合部１１４は支持要素係合部１１２内にスライド可能に取り付けられ、円筒形本体の開放端部の側壁１１８は支持要素係合部１１２にある相補的凹部１２０と係合する。従って、ハウジングの高さは、側壁１１８が支持要素係合部１１２にある凹部と係合する程度に従って可変である。支持要素係合部１１２は、支持要素の足部を受容するためのソケット側壁と、基部とを有する実質的に円筒形のソケット１２２を備えている。ソケットはさらに、ソケット１２２が様々なサイズおよび形状の支持要素を収容することを可能にする複数の柔軟性あるフィンガを備えている。スカート１２４は、支持要素係合部１１２を囲み、そこから上方に延び、支持要素１０５を囲み、支持要素１０５に支えられるように、直径が減少する。このようにして、スカート１２４は、支持要素１０５を軽く把握し、それでハウジング１０４を支持要素１０５に固定することを助ける。スカート１２４はさらに、ハウジング１０４に統一した外観を提供する目的に役立つ。
【００２２】
流体収容コンパートメント１０２は、表面係合部１１４のボス１１６の上そして支持要素係合部の基部の下のハウジング１０４内に位置を定められる。流体収容コンパートメントは、天然ゴムまたは合成ゴムなどの柔軟性のある材料から形成される袋を備えている。袋は実質的に半球の形状であり、袋の平らな面はハウジングの支持要素係合部の基部の直下に置かれており、袋の湾曲した面は表面係合部１１４の中に下方に突き出る。袋の湾曲した面の下部は、球台形状のボス１１６に支えられて、ボスの形状にぴったり合うように変形し、それによって袋内にくぼみを形成する。ボスによるこのくぼみは、流体収容コンパートメントの容積を減少させる。
【００２３】
使用時、安定化装置１００はまず、各流体収容コンパートメント１０２およびそれに関係する小口径のホース１０６を流体で完全に満たし、次いでシステムから流体を排出するように１つの流体収容コンパートメント１０２を圧縮することによって準備され、流体収容コンパートメント１０２間に流体が流れる十分な空間を残す。流体収容コンパートメント１０２は、準備段階中に密閉されないままである中央充填装置を用いて満たされる。十分な流体が安定化装置１００に加えられ、小口径のホースが流体で満たされることを確実にする。中央充填装置１１０もまた次いで流体で満たされ、空気はすべてシステムから除去される。中央充填装置１１０は次いで完全に閉じられ、その結果、流体は安定化装置１００から全く逃げることができず、さらにその結果、空気は安定化装置１００に全く入ることができない。このようにして一旦安定化装置１００が準備されると、問題の物体にはめられる用意ができている。流体収容コンパートメント１０２が各支持要素１０５の地上係合足部にはめられると、その結果、支持要素１０５の足部はハウジング１０４の支持要素係合部１１２のソケット１２２の基部に位置を決められる。小口径のホース１０６および中央充填装置１１０は、支持要素１０５および物体（図示されていない）に固定される。物体（図示されていない）が一旦表面に置かれると、物体の重量は、流体収容コンパートメント１０２によって作用し、それによって、各流体収容コンパートメント１０２における圧力が同じになるまで、小口径のホース１０６を経由して、流体収容コンパートメント１０２間に流体を押し流す。例えば、４脚の物体の１つの脚が地上にあるくぼみの上に置かれる状況において、物体の他の３つの脚は地上に置かれており、第１の脚は地上に接触していない。物体の重量は、地上に接触している物体の３つの脚に固定されている流体収容コンパートメント１０２によって地上に作用する。このようにして、各支持要素１０５に取り付けられた各流体収容コンパートメント１０２に関係する支持要素係合部１１２は、表面係合部１１４の中に押し下げられ、それによって、流体収容コンパートメント１０２の容積を減少させ、表面係合部１１４の上の支持要素係合部１１２の高さを減少させる。このことは、関係する支持要素の長さを効果的に減少させる。流体収容コンパートメント１０２内に含まれる流体は、小口径のホース１０６を介してそこから押し出される。流体は、小口径のホース１０６を介して中央充填装置１１０に流れ、そこから、くぼみの上にある脚に関係する流体収容コンパートメント１０２に流れる。なぜならこの流体収容コンパートメント１０２に作用する圧力がほとんどないかまたは全くないからである。従って、くぼみの上に位置を定められる脚に関係する流体収容コンパートメント１０２は、拡張する。なぜなら、流体が、そこに押し出され、支持要素係合部１１２から離れるように表面係合部１１４を押し、ハウジング１０４の高さを増加させ、従って、そのテーブルの脚の長さを効果的に増加させるからである。十分な流体がくぼみの上に位置を定められる脚に関係する流体収容コンパートメント１０２に到着するまで、流体が流れ続け、脚が地上と係合するようにその脚の長さを増加させる。この時点は、その脚に関係する流体収容コンパートメント１０２に対して圧力が加えられ始める。くぼみの上に位置を定められる脚に関係する流体収容コンパートメント１０２内の流体に対して加えられる圧力が他の３つの流体収容コンパートメントにある流体に加えられる圧力と等しいとき、流体の流れは停止する。流体収容コンパートメント１０２によって、各流体収容コンパートメント１０２における圧力は等しく、物体の４つの脚の各々は地上に接触する。従って、物体は地上において安定する。
【００２４】
ここで図５を参照すると、図５において、同様な部品は上記と同じ参照番号が与えられ、第１の脚４０２と、第２の脚４０４（さらなる脚は図示されていない）とを有するテーブル４００が示される。脚４０２、４０４の各々は、本発明の流体収容コンパートメント１０２およびハウジング１０４にはめられ、小口径のホース１０４は、脚の上方に、テーブル上部の下側に適所に固定される中央充填装置に延びる。テーブル４００は、平らでない表面に位置を定められ、その結果、第１の脚４０２は、第２の脚４０４が置かれている表面の点よりも低い点に置かれている。つりあいの位置にある安定化装置１００が示され、該つりあいにおいて両方の脚は表面に置かれるようになり、このことは、十分圧縮されている第２の脚４０４の流体収納コンパートメント１０２によって達成され、その結果、表面係合部１１４の円筒形本体の開放端部の側壁１１８は、支持要素係合部１１２にある相補的凹部１２０の中に完全挿入され、一方、第１の脚の流体収容コンパートメント１０２は拡張し、その結果、第１の脚に取り付けられたハウジングの表面係合部１１４はハウジングそして結局は第１の脚の長さを延ばすように下方に押される。
【００２５】
小口径のホース１０６のために、各流体収容コンパートメント１０２間の流体フローは、非常に遅い。このことは、テーブルにもたれている人が立ち上がるときなどにテーブルに加えられる一時的な力に安定化装置が反応しないことを確実にする。
【００２６】
明細書を通して、流体という用語は、安定化装置の動作に関係して用いられる。用いられる流体は、水、油、液圧流体、または任意の他の適切な流体であり得る。液体が用いられる場合、液体は実質的に圧縮不能であることが好ましい。理想的には、不凍溶液または束一性因子（ｃｏｌｌｉｇａｔｉｖｅ  ａｇｅｎｔ）などの液体が用いられる。
【００２７】
コンパートメントが、物体の支持部材に固定されることを可能にし、その結果、物体の重量がコンパートメントを介して作用する任意の構成であり得ることは理解される。さらに、そこに備えられるハウジングおよび部品が、例えば丸い、正方形または直角である特定の形状のテーブル脚にぴったり合うように形作られ得ることは理解される。
【００２８】
本発明の安定化装置が安定させられる物体に対して別個の実体であるように説明されているが、安定化装置が製造時またはその後にその物体に一体化され得る場合もあることは当業者によって理解される。例えば、流体収容コンパートメントは物体の支持要素の足部に形成され得、その結果、流体収容コンパートメントの外部は脚の外部にぴったり合うか、または流体収容コンパートメントを囲むハウジングは脚にぴったり合うように適合され得る。さらに、小口径のホースは、支持要素にある空洞またはチャネルに形成され得るかまたははめられ得る。
【００２９】
理想的には、流体収容コンパートメントを形成する袋の壁は、ほんの最小限に弾性があるかまたは拡張可能であり、その結果、流体収容コンパートメントの容積のあらゆる変化が、袋壁の柔軟性ある性質によるものであり、袋壁の拡張または収縮によるものではない。さらに、袋の形状が変化し得、円錐形、円錐形の変形または他の適切な形状を含み得ることは理解される。
【００３０】
明細書を通して、流体収容コンパートメントという用語は、本発明の動作に適した流体を含むコンパートメントをいうために用いられている。該用語は、コンパートメントの圧縮により本発明の動作に適した流体が空であるとき、コンパートメントを囲む真空が存在するとき、またはコンパートメントが部分的かまたは完全に空気で満たされている場合の同じコンパートメントもいい、そして該同じコンパートメントをも含む。
【００３１】
明細書において、備えている、包含する、包含されている（ｃｏｍｐｒｉｓｅ、ｃｏｍｐｒｉｓｅｓ、ｃｏｍｐｒｉｚｅｄ、およびｃｏｍｐｒｉｓｉｎｇ）またはその任意の変形、ならびに、含む、含まれている（ｉｎｃｌｕｄｅ、ｉｎｃｌｕｄｅｄ、またはｉｎｃｌｕｄｉｎｇ）またはその任意の変形の用語は、完全に交換可能であると考えられ、それらの用語すべてに、最も広い解釈が与えられるべきである。
【００３２】
本発明は、本明細書に説明される実施形態に限定されないで、特許請求の範囲内において構造および細部において変化され得る。
【図１】
2010524611.tif 000003
【図２】
2010524611.tif 000004
【図３】
2010524611.tif 000005
【図４】
2010524611.tif 000006
【図５】
2010524611.tif 000007
【国際調査報告】
2010524611.tif 000008
2010524611.tif 000009
2010524611.tif 000010